(57)【要約】【課題】撮像装置の撮影可能枚数を増加させる。【解決手段】被写体が動体か否かを判断する動き判定手段１１１および電池電圧を検出する電池電圧検出手段１２３を備え、電池電圧検出手段１２３により検出される電圧値が所定レベルを超え、且つ動き判定手段１１１により被写体が動体であると判断された場合、撮像素子をグローバルシャッタ駆動としてメカニカルシャッタを用いて静止画撮影を行い、電池電圧検出手段１２３で検出される電圧値が所定レベル以下の場合、または動き判定手段１１１により被写体が動体でないと判断された場合、撮像素子をローリングシャッタ駆動として静止画撮影を行う。【選択図】図２
2010171848.tif 000002
【特許請求の範囲】
【請求項１】
メカニカルシャッタを含む撮影光学系と、グローバルシャッタ駆動とローリングシャッタ駆動との２つの駆動方式での駆動が可能な撮像素子とを備えた撮像装置において、
被写体が動体か否かを判断する動き判定手段および電池電圧を検出する電池電圧検出手段を備え、
前記電池電圧検出手段により検出される電圧値が所定レベルを超え、且つ前記動き判定手段により被写体が動体であると判断された場合、撮像素子をグローバルシャッタ駆動としてメカニカルシャッタを用いて静止画撮影を行い、
前記電池電圧検出手段で検出される電圧値が所定レベル以下の場合、または前記動き判定手段により被写体が動体でないと判断された場合、撮像素子をローリングシャッタ駆動として静止画撮影を行う
ことを特徴とする撮像装置。
【請求項２】
光源にフリッカが存在しているか否かを判断するフリッカ判別手段を備え、
前記電池電圧検出手段で検出される電圧値が所定レベル以下の場合、または前記動き判定手段により被写体が動体でないと判断された場合であって、前記フリッカ判別手段により光源にフリッカが存在していると判断された場合、
撮像素子をグローバルシャッタ駆動としてメカニカルシャッタを用いて静止画撮影を行う
ことを特徴とする請求項１に記載の撮像装置。
【請求項３】
予めローリングシャッタ駆動での静止画撮影を許可するか否かを設定する撮影モード設定手段を更に備えたことを特徴とする請求項１または２のいずれかに記載の撮像装置。
【請求項４】
メカニカルシャッタを含む撮影光学系と、グローバルシャッタ駆動とローリングシャッタ駆動との２つの駆動方式での駆動が可能な撮像素子とを備えた撮像装置の制御方法であって、
電池電圧を検出する電池電圧検出処理により検出される電圧値が所定レベルを超え、且つ被写体が動体か否かを判断する動き判定処理により被写体が動体であると判断された場合、撮像素子をグローバルシャッタ駆動としてメカニカルシャッタを用いて静止画撮影を行い、
前記電池電圧検出処理で検出される電圧値が所定レベル以下の場合、または前記動き判定処理により被写体が動体でないと判断された場合、撮像素子をローリングシャッタ駆動として静止画撮影を行う
ことを特徴とする撮像装置の制御方法。
【請求項５】
メカニカルシャッタを含む撮影光学系と、グローバルシャッタ駆動とローリングシャッタ駆動との２つの駆動方式での駆動が可能な撮像素子とを備えた撮像装置に、
電池電圧を検出する電池電圧検出処理により検出される電圧値が所定レベルを超え、且つ被写体が動体か否かを判断する動き判定処理により被写体が動体であると判断された場合、撮像素子をグローバルシャッタ駆動としてメカニカルシャッタを用いて静止画撮影を実行させ、
前記電池電圧検出処理で検出される電圧値が所定レベル以下の場合、または前記動き判定処理により被写体が動体でないと判断された場合、撮像素子をローリングシャッタ駆動として静止画撮影を実行させる
ことを特徴とする撮像装置の制御プログラム。
【発明の詳細な説明】
【技術分野】
【０００１】
本発明は、撮像装置、撮像装置の制御方法および制御プログラムに関する。
【背景技術】
【０００２】
従来、デジタルスチルカメラ（以下、デジタルカメラともいう）の撮像素子としては、ＣＣＤ（Charge Coupled Device：電荷結合素子）が主に使用されてきたが、近年、消費電力の低さ、製造プロセスの単純化、信号の高速読み出しなどのメリットからＣＭＯＳ（Complementary Metal Oxide Semiconductor：相補形金属酸化膜半導体）センサを使用する機種が増えてきている。
【０００３】
しかしながら、ＣＭＯＳセンサを使用することにより生じる特有の問題も幾つか知られている。その代表的な問題の１つが「ローリングシャッタ問題」、「蓄積の同時性」等と呼ばれているものであり、具体的には、素早く動く被写体を撮影した場合に起きる「動体歪み」と、交流点灯する照明下で観察される「面内フリッカ」等と呼ばれる現象である。
【０００４】
ＣＣＤでは、撮像に使用される画素データを同時に読み出し、蓄積開始も電子シャッタによって全画素同時に行われるため、このような問題は起きないが、ＣＭＯＳセンサでは、電子シャッタと画素データ読み出し動作が、画素行毎に順次ずらすようになっているため上記のような問題が生じるものである。
【０００５】
この問題に対応するため、ＣＭＯＳセンサでもＣＣＤと同じように、全行・全画素を一括してリセットする機能を設けたものがある。しかしながら、画素データの読み出しは、行（走査ライン）毎に行われるので、メカニカルシャッタを併用して、行毎の露光差が生じないようにしなければいけない。
【０００６】
このように、ＣＭＯＳセンサは、各行毎に露光開始、画素データの読み出しを行う駆動モード（以下、ローリングシャッタ駆動と呼ぶ）と、全画素一括して露光を開始させる駆動モード（以下、グローバルシャッタ駆動と呼ぶ）との２つの駆動モードを持ち、動画撮影ではローリングシャッタ駆動を使用し、静止画撮影ではグローバルシャッタ駆動を使用するのが一般的になってきている。
【０００７】
特許文献１には、撮像モードや被写体の条件によって撮像素子の駆動方式を切り換え、かつ、撮像素子の駆動方式が切り換えられた場合に、撮像素子を初期化することで速やかに次の撮像状態に移行する撮像装置が開示されている。また、特許文献２には、フリッカ検出手段によりフリッカが検出されたときに、撮像センサの光電変換特性を、線形特性領域が支配的になるような光電変換特性に変化させることで、フリッカが発生してもその影響を除去して撮影を行う撮像装置が開示されている。
【０００８】
さらに、特許文献３には、バッテリの電圧を検出し、この電圧値が、エンド電圧値よりも高く、且つプリエンド電圧値より小さい場合には、撮像時にメカニカルシャッタを駆動せずに、電子シャッタを制御して画像取り込みを行うデジタルカメラが開示されている。また、特許文献４には、撮像素子の全行同時リセットにより露光を開始しメカニカルシャッタ閉じにより露光を終了する第１の露光制御と、撮像素子の各行単位でリセットにより露光を開始し画素信号の読出しにより露光を終了する第２の露光制御とを行い、第１の露光制御における１枚の静止画記録と、第２の露光制御における複数枚の静止画記録とを連続して行うように制御する撮像装置が開示されている。
【発明の概要】
【発明が解決しようとする課題】
【０００９】
しかしながら、特許文献１に記載の技術では、電池電圧によらず、被写体条件だけによってメカニカルシャッタを併用するか否かが決定されるため、電池末期にたとえ多少の歪みが生じても撮影したいという場合があったときに対応することができないという問題がある。また、特許文献２に記載の技術では、対数変換回路を画素内に付加した特殊なセンサを用いなければいけないので、機器のコストアップに繋がるという問題がある。
【００１０】
さらに、特許文献３に記載の技術は、バッテリがプリエンドレベルからエンドレベルの間にメカニカルシャッタを使用しないものであり、プリエンドレベルになるまでは、消費電力抑制効果を得ることはできないという問題がある。また、特許文献４に記載の技術では、動体歪みが発生する被写体であるか否かを判別しないので、無駄にメカニカルシャッタを駆動した撮影を行うことにつながり、撮影枚数を増加させることはできないという問題がある。
【００１１】
上述したように、静止画撮影時にグローバルシャッタ駆動モードを使用する場合は、メカニカルシャッタを併用することが必須である。ここで、メカニカルシャッタを駆動するには、一般的には数１００ｍＡの電流が必要であり、この電流値はシャッタスピードを早くしようとすればするほど、大きくする必要がある。
【００１２】
この数１００ｍＡという電流は、電池を使用するデジタルスチルカメラのような携帯機器においては、機器全体で消費する電流量に対して非常に大きな割合であり、特に電池電圧が低下した状態においては、メカニカルシャッタを駆動するかしないかで、撮影できるか否かが左右され、メカニカルシャッタを駆動しなければならないがゆえに、シャッタチャンスを逃してしまうことになりかねない。また、消費電力の低いＣＭＯＳセンサを使用しているにも関わらず、従来ＣＣＤセンサを使用した機種に比して、撮影可能枚数を増加させることができないという問題が生じうる。
【００１３】
そこで本発明は、被写体条件と電池電圧条件に基づいて、撮像素子の駆動モードをグローバルシャッタ駆動とするか、ローリングシャッタ駆動とするかを選択しながら撮影するようにすることにより、撮像装置の電池の消耗を抑え、従来に比べ大幅に撮影可能枚数を増やすことのできる撮像装置、撮像装置の制御方法および制御プログラムを提供することを目的としている。
【課題を解決するための手段】
【００１４】
かかる目的を達成するため、請求項１に記載の撮像装置は、メカニカルシャッタを含む撮影光学系と、グローバルシャッタ駆動とローリングシャッタ駆動との２つの駆動方式での駆動が可能な撮像素子とを備えた撮像装置において、被写体が動体か否かを判断する動き判定手段および電池電圧を検出する電池電圧検出手段を備え、電池電圧検出手段により検出される電圧値が所定レベルを超え、且つ動き判定手段により被写体が動体であると判断された場合、撮像素子をグローバルシャッタ駆動としてメカニカルシャッタを用いて静止画撮影を行い、電池電圧検出手段で検出される電圧値が所定レベル以下の場合、または動き判定手段により被写体が動体でないと判断された場合、撮像素子をローリングシャッタ駆動として静止画撮影を行うものである。
【００１５】
また、請求項２に記載の発明は、請求項１に記載の撮像装置において、光源にフリッカが存在しているか否かを判断するフリッカ判別手段を備え、電池電圧検出手段で検出される電圧値が所定レベル以下の場合、または動き判定手段により被写体が動体でないと判断された場合であって、フリッカ判別手段により光源にフリッカが存在していると判断された場合、撮像素子をグローバルシャッタ駆動としてメカニカルシャッタを用いて静止画撮影を行うものである。
【００１６】
また、請求項３に記載の発明は、請求項１または２のいずれかに記載の撮像装置において、予めローリングシャッタ駆動での静止画撮影を許可するか否かを設定する撮影モード設定手段を更に備えたものである。
【００１７】
また、請求項４に記載の撮像装置の制御方法は、メカニカルシャッタを含む撮影光学系と、グローバルシャッタ駆動とローリングシャッタ駆動との２つの駆動方式での駆動が可能な撮像素子とを備えた撮像装置の制御方法であって、電池電圧を検出する電池電圧検出処理により検出される電圧値が所定レベルを超え、且つ被写体が動体か否かを判断する動き判定処理により被写体が動体であると判断された場合、撮像素子をグローバルシャッタ駆動としてメカニカルシャッタを用いて静止画撮影を行い、電池電圧検出処理で検出される電圧値が所定レベル以下の場合、または動き判定処理により被写体が動体でないと判断された場合、撮像素子をローリングシャッタ駆動として静止画撮影を行うようにしている。
【００１８】
また、請求項５に記載の撮像装置の制御プログラムは、メカニカルシャッタを含む撮影光学系と、グローバルシャッタ駆動とローリングシャッタ駆動との２つの駆動方式での駆動が可能な撮像素子とを備えた撮像装置に、電池電圧を検出する電池電圧検出処理により検出される電圧値が所定レベルを超え、且つ被写体が動体か否かを判断する動き判定処理により被写体が動体であると判断された場合、撮像素子をグローバルシャッタ駆動としてメカニカルシャッタを用いて静止画撮影を実行させ、電池電圧検出処理で検出される電圧値が所定レベル以下の場合、または動き判定処理により被写体が動体でないと判断された場合、撮像素子をローリングシャッタ駆動として静止画撮影を実行させるものである。
【発明の効果】
【００１９】
本発明によれば、撮像装置の電池の消耗を抑え、撮影可能枚数を従来に比して大幅に増やすことができる。
【図面の簡単な説明】
【００２０】
【図１】本発明に係る撮像装置の外観図の一例であって、（ａ）は上面図、（ｂ）は背面図、（ｃ）は正面図である。
【図２】撮像装置の機能ブロック図の一例である。
【図３】撮像装置の撮像動作の一例を示すフローチャートである。
【図４】撮像装置の撮像動作の他の例を示すフローチャートである。
【図５】撮像装置の撮像動作の他の例を示すフローチャートである。
【発明を実施するための形態】
【００２１】
以下、本発明に係る構成を図１から図５に示す実施の形態に基づいて詳細に説明する。
【００２２】
１．撮像装置の構成
本発明に係る撮像装置の一例として、デジタルカメラを例に以下説明する。図１にデジタルカメラの外観図の一例を示す。ここで図１（ａ）は上面図、（ｂ）は背面図、（ｃ）は正面図を示す。
【００２３】
図１（ａ）〜（ｃ）に示すように、デジタルカメラ本体の上面には、レリーズキー（釦）１、モード切換ダイアル２および電源キー３が配設されている。また、デジタルカメラ本体の背面には、ＬＣＤモニタ（表示部）４、十字キー５および光学ファインダ（背面）６が設けられている。また、デジタルカメラ本体の正面には、光学ファインダ（正面）６、撮影レンズ７およびフラッシュ８が設けられている。
【００２４】
図２にデジタルカメラの機能ブロックの一例を示すブロック図を示す。以下、デジタルカメラ内部のシステム構成について説明する。
【００２５】
光学ユニット（撮影光学系）１００は、レンズ１０１、絞り・シャッタ１０２、赤外カットフィルタ１０３およびＣＭＯＳセンサ１０４により構成される。レンズ１０１は、フォーカス時、ズーム時、起動・停止時にメカ的に位置をかえるものであり、絞り・シャッタ１０２は、撮影時に適切な絞り径に切り換たり、静止画撮影時にはシャッタの閉じ・開き動作を行なうものである。
【００２６】
光学系駆動部１０５は、光学ユニット１００を動作させ、フォーカス・ズームの駆動、及びシャッタの駆動を行う。
【００２７】
制御・演算部１２０は、光学系駆動部１０５に駆動指示を与え、プログラム用メモリ１２１に記憶されたプログラム、ユーザによる操作部１２２からの操作内容を実行することにより、この撮像装置の各部を統括的に制御する。尚、本発明に係る撮像装置の制御プログラムは、例えば、プログラム用メモリ１２１に記憶され、該撮像プログラムが制御・演算部１２０により読み出され、実行されることにより、撮像装置を後述するように機能させるものである。
【００２８】
制御・演算部１２０内の電池電圧検出部１２３は、撮像装置の電源が入っている間、常に電池１２４の電圧（電池電圧）の監視を行う。本実施形態において、電池電圧検出部１２３による電池電圧の監視レベルとしては、ニアエンドレベル（以下、ＮＥレベルともいう）及びエンドレベル（以下、Ｅレベルともいう）の２段階で行うこととしているがこれに限られるものではない。電池電圧検出部１２３による電池電圧がＥレベルに達すると、撮影不可状態と判断し、制御・演算部１２０によって、電源ＯＦＦ処理を行うものである。また、ＤＣ／ＤＣコンバータ１２５は、全てのユニットの電源を供給するために、電池１２４から各種直流電圧を生成する。
【００２９】
ＣＭＯＳセンサ（撮像素子）１０４は、グローバルシャッタ駆動とローリングシャッタ駆動との２つの駆動方式での駆動が可能であり、２次元に配列した受光素子部で結像した光学像を電荷子に変換し、駆動部から送信される読出しタイミングによって外部に電気信号として出力する。ＣＭＯＳセンサ１０４で出力した信号は、静止画撮影では、後段の画像処理部１１０で所定のフォーマットで画像処理され、記録画像は、画像用メモリ１２７（ＳＤカード、コンパクトフラッシュ（登録商標）カード、ＸＤピクチャーカード等のメディア）に保存される。また、モニタリングでは、画像処理部１１０で表示用画像として処理され、ＬＣＤ４に随時更新表示される。
【００３０】
ＳＤＲＡＭ１２８は、画像処理部１１０で記録画像や表示用画像を生成する過程において行われる、ホワイトバランス処理、補間処理、γ処理、ＹＵＶ処理、ノイズリダクション処理、輪郭強調処理、圧縮処理等を行う際の、一時保存用のデータバッファとして用いられる。
【００３１】
画像処理部１１０の動き判定手段１１１は、被写体の動きを判断する。ここで、動きのある被写体が存在するか否かを判定する方法としては、例えば、撮影処理に入る前にモニタリングの状態において、フレーム間差分をとり、その差分が所定の閾値より多いか少ないかによって判断する方法や、ＡＦモジュールを搭載し、ＡＦモジュールの機能として動体を検知する機能を使用する方法等を用いることができる。この際、動きの有無の判断に用いる閾値をユーザにより設定可能とすることも好ましい。尚、本実施形態における動き判定手段１１１の動き判定方法は、上述の例に限られるものではなく、他の公知または新規の手法を用いることができる。
【００３２】
画像処理部１１０のフリッカ判別手段１１２は、動き判定手段１１１と同様、撮影処理に入る前のモニタリングの状態において、面内に一定周期の輝度レベルの変動が生じているか否かを判別するものである。この際、フリッカの有無の判断に用いる閾値をユーザにより設定可能とすることも好ましい。尚、本実施形態におけるフリッカ判別手段１１２による判別手法は、上述の例に限られるものではなく、他の公知または新規の手法を用いることができる。
【００３３】
撮影モード選択手段１２６は、ローリングシャッタ駆動による静止画撮影を許可するか否か設定可能とするものであり、例えば、ＬＣＤ４に撮影モードの選択画面を表示させ、ユーザが操作部１２２から指定した設定内容を記憶するものである。例えば、運動会での徒競走の撮影を想定した場合、モニタリングの間、スタート前だとすると、動き判定手段１１１は動きのない被写体と判断する可能性があり、走者が走り出したところでレリーズを切ったとすると、ローリングシャッタによる撮影が行われ、動体歪みを伴った画像が撮影されてしまうおそれがある。本実施形態では、これを防ぐために、ユーザが動体歪みを伴った撮影を嫌う場合は、撮影モード設定手段１２６によりローリングシャッタによる撮影を許可しないように設定可能としている。
【００３４】
２−１．第１の実施形態
以下、撮像装置の動作（本発明に係る撮像装置の制御方法）について説明する。
【００３５】
図３は、本発明に係る撮像装置が実行する撮像動作の一例（第１の実施形態）を示すフローチャートである。
【００３６】
先ず、レリーズ釦１が押下されると（Ｓ１１：Ｙｅｓ）、電池電圧検出部１２３で検出される電池電圧Ｖが、ＮＥレベルよりも高いか、ＮＥレベル以下であるかを判断する（Ｓ１２）。尚、電池電圧ＶがＮＥレベルとイコールである場合に、いずれの処理を行うかについては適宜選択可能であることは勿論である。
【００３７】
ＮＥレベル以下の場合（Ｓ１２：Ｎｏ）は、メカニカルシャッタの駆動を行うことなくローリングシャッタによる撮像処理（Ｓ１５）が行われる。
【００３８】
これに対し、ＮＥレベルよりも高い場合（Ｓ１２：Ｙｅｓ）は、動き判定手段１１１は、画角内に動きのある被写体が存在するか否かを判断する（Ｓ１３）。
【００３９】
動き判定手段１１１による判定が、画角内に動く被写体がないと判断した場合（Ｓ１３：Ｎｏ）は、動体歪みを生ずる可能性がないため、メカニカルシャッタの駆動を行うことなくローリングシャッタ駆動による撮影が行われる。
【００４０】
これに対し、画角内に動く被写体があると判断した場合（Ｓ１３：Ｙｅｓ）は、撮影画像に動体歪みが生じてしまうことを防止するために、撮像素子をグローバルシャッタ駆動に切り替え、メカニカルシャッタを併用して撮影を行う（Ｓ１４）。
【００４１】
グローバルシャッタ駆動とメカニカルシャッタによる撮像処理（Ｓ１４）およびローリングシャッタによる撮像処理（Ｓ１５）の方法によって撮影された画像データは、撮像素子から画像処理部１１０に送られ、不図示の撮像処理ブロックによって、ホワイトバランス処理、補間処理、γ処理、ＹＵＶ処理、ノイズリダクション処理、輪郭強調処理、圧縮処理等が施され、画像用メモリ１２７に記録される。
【００４２】
このように、動き検出手段１１０および電池電圧検出手段１２３を備え、被写体条件と電池電圧条件に基づいて、撮像素子の駆動モードをグローバルシャッタ駆動とするか、ローリングシャッタ駆動とするかを選択しながら撮影するようにすることによって、撮像装置の電池の消耗を抑えることができ、電池容量を大きくすることなく、従来に比べ大幅に撮影可能枚数を増やすことができる。
【００４３】
２−２．第２の実施形態
図４は、本発明に係る撮像装置が実行する撮像動作の他の例（第２の実施形態）を示すフローチャートである。尚、第１の実施形態と同様の点については、説明を省略する。
【００４４】
先ず、レリーズ釦１が押下されると（Ｓ２１：Ｙｅｓ）、電池電圧検出部１２３で検出される電圧Ｖが、ＮＥレベルよりも高いか、そのレベル以下であるかを判断する（Ｓ２２）。
【００４５】
ＮＥレベル以下の場合（Ｓ２２：Ｎｏ）は、フリッカ判別手段１１２は、フリッカが発生しているか否かを判断する（Ｓ２４）。フリッカ判別手段１１２により、面内でフリッカがあると判断された場合（Ｓ２４：Ｙｅｓ）は、面内フリッカが生じた画像を記録することを防止するため、撮像素子をグローバルシャッタ駆動に切り替え、メカニカルシャッタを併用した撮影処理（Ｓ２５）が行われる。
【００４６】
これに対し、面内にフリッカが発生していないと判断された場合（Ｓ２４：Ｎｏ）は、メカニカルシャッタの駆動を行うことなくローリングシャッタによる撮像処理（Ｓ２６）が行われる。
【００４７】
また、ＮＥレベルよりも高い場合（Ｓ２２：Ｙｅｓ）は、動き判定手段１１１は、画角内に動きのある被写体が存在するか否かを判断する（Ｓ２３）。
【００４８】
動き判定手段１１１による判定が、画角内に動く被写体がないと判断した場合（Ｓ２３：Ｎｏ）は、フリッカ判別手段１１２は、フリッカが発生しているか否かを判断する（Ｓ２４）。
【００４９】
これに対し、画角内に動く被写体があると判断した場合（Ｓ２３：Ｙｅｓ）は、撮影画像に動体歪みが生じてしまうことを防止するために、撮像素子をグローバルシャッタ駆動に切り替え、メカニカルシャッタを併用した撮影処理（Ｓ２５）が行われる。
【００５０】
即ち、第２の実施形態では、電池電圧がＮＥレベル以下であっても、或いは、画角内に動く被写体がなかったとしても、フリッカが発生している場合、面内フリッカが生じた画像を記録することを防止するため、撮像素子をグローバルシャッタ駆動とし、メカニカルシャッタを併用した撮影が行うようにしている。
【００５１】
このように、更にフリッカ判別手段１１２を備え、フリッカ発生の有無を判断することにより、面内で輝度ムラを発生させてしまうような光源下の撮影の場合は、撮像素子の駆動モードをグローバルシャッタ駆動とし、メカニカルシャッタを併用した撮影を行うことによって、輝度ムラのない画像を自動的に撮影することができる。
【００５２】
２−３．第３の実施形態
図５は、本発明に係る撮像装置が実行する撮像動作の他の例（第３の実施形態）を示すフローチャートである。尚、第１〜２の実施形態と同様の点については、説明を省略する。
【００５３】
先ず、レリーズ釦１が押下されると（Ｓ３１：Ｙｅｓ）、予め撮影モード設定手段１２６によりユーザがローリングシャッタでの静止画撮影を許可する設定としているかどうかを判断する（Ｓ３２）。
【００５４】
撮影モード設定手段１２６による設定がローリングシャッタでの静止画撮影を許可しないものである場合（Ｓ３２：Ｎｏ）は、撮像素子をグローバルシャッタ駆動に切り替え、メカニカルシャッタを併用した撮影処理（Ｓ３６）が行われる。
【００５５】
これに対し、撮影モード設定手段１２６による設定がローリングシャッタでの静止画撮影を許可するものである場合（Ｓ３２：Ｙｅｓ）は、Ｓ３３以降の処理に移る。尚、Ｓ３３〜Ｓ３７の処理は、上記第２の実施形態と同様であるので説明を省略する。 
【００５６】
このように、更に撮影モード設定手段１２６を備え、ユーザの意図に応じて、ローリングシャッタによる撮影を許可するか否かを予め設定可能とすることにより、例えば、撮影時にフレームインしてくるような被写体に対しても、動体歪みのない画像を撮影することができる。
【００５７】
尚、上述の実施形態は本発明の好適な実施の例ではあるがこれに限定されるものではなく、本発明の要旨を逸脱しない範囲において種々変形実施可能である。例えば、上述の実施形態では、撮像装置にデジタルスチルカメラに適用した例について説明したが、本発明に係る撮像装置は、例えば、デジタルビデオカメラ、カメラ機能付き携帯電話等にも適用可能である。
【符号の説明】
【００５８】
１  レリーズキー（釦）
２  モード切換ダイアル
３  電源キー
４  ＬＣＤモニタ４、
５  十字キー
６  光学ファインダ
７  撮影レンズ
８  フラッシュ
１００  光学ユニット
１０１  レンズ
１０２  絞り・シャッタ
１０３  赤外カットフィルタ
１０４  ＣＭＯＳセンサ
１０５  光学系駆動部
１１０  画像処理部
１１１  動き判定手段
１１２  フリッカ判別手段
１２０  制御・演算部
１２１  プログラム用メモリ
１２２  操作部
１２３  電池電圧検出手段
１２４  電池
１２５  ＤＣ／ＤＣコンバータ
１２６  撮影モード設定手段
１２７  画像用メモリ
１２８  ＳＤＲＡＭ
【先行技術文献】
【特許文献】
【００５９】
【特許文献１】特開２００７−１９７０６号公報
【特許文献２】特開２００６−１３５９３号公報
【特許文献３】特開２００５−３９４１７号公報
【特許文献４】特開２００８−３０６６８４号公報
【図１】
2010171848.tif 000003
【図２】
2010171848.tif 000004
【図３】
2010171848.tif 000005
【図４】
2010171848.tif 000006
【図５】
2010171848.tif 000007